(57)【要約】【課題】  立体商品見本を安定に保持して展示すると共に、立体商品見本に代えて広告ユニット等を展示することのできる簡易な構造の自動販売機の商品展示装置を提供する。【解決手段】  複数の立体商品見本を並べて展示する商品展示棚と、この商品展示棚の上面に突出可能に設けられて該商品展示棚上における前記立体商品見本の載置領域を区画する１つまたは複数の仕切板と、前記仕切板を一体に備え、前記商品展示棚の下部に該商品展示棚の前後方向に進退自在に設けられて後退位置に位置付けられたときに前記仕切板を前記商品展示棚の上面から退避させるスライド体とを備える。【選択図】      図３
2005332252.tif 000002
【特許請求の範囲】
【請求項１】
複数の立体商品見本を並べて展示する商品展示棚と、
この商品展示棚の上面に突出可能に設けられて該商品展示棚上における前記立体商品見本の載置領域を区画する１つまたは複数の仕切板と、
前記仕切板を一体に備え、前記商品展示棚の下部に該商品展示棚の前後方向に進退自在に設けられて後退位置に位置付けられたときに前記仕切板を前記商品展示棚の上面から退避させるスライド体と
を具備したことを特徴とする自動販売機の商品展示装置。
【請求項２】
前記スライド体は、その前端部に価格ラベルの収納部を備え、
前記価格ラベルの収納部を前記商品展示棚の前端部に位置付けて該収納部の開放された上端を商品展示棚にて閉塞した状態を定常位置として前記商品展示棚の下部に組み込まれるものである請求項１に記載の自動販売機の商品展示装置。
【請求項３】
前記スライド体は、前記定常位置から更に前方に引き出し可能に設けられ、この引き出し位置にて前記収納部を開放して前記価格ラベルの装脱を可能とするものである請求項１に記載の自動販売機の商品展示装置。
【発明の詳細な説明】
【技術分野】
【０００１】
本発明は、販売機本体の前面に設けられた前扉に組み込まれる商品展示装置に係り、特に商品見本を展示する商品展示棚を利用して箱形の広告ユニット等を展示し得るようにした簡易な構成の自動販売機の商品見本展示装置に関する。
【背景技術】
【０００２】
たばこ等のパッケージ商品の自動販売機は、通常、箱形の販売機本体の前面部に設けた前扉の前面に、商品見本展示部（商品見本展示装置）や、この商品見本展示部に展示された商品見本を選択的に指定する商品選択釦、更には金銭投入口や釣り銭払出口等を設けて構成される（例えば特許文献１を参照）。商品見本展示部は、販売対象とするパッケージ商品（例えばたばこ）の見本を並べて展示する複数段の商品展示棚を備えたもので、商品選択釦は上記商品見本展示棚に展示される複数の商品見本に対応付けて設けられる。そして自動販売機は、上記商品選択釦が選択的に押圧操作されたとき、その商品選択釦が対応付けられた商品見本により特定されるパッケージ商品を選択的に払い出すものとなっている。
【０００３】
尚、たばこ等の箱形のパッケージ商品は、商品種別（銘柄）毎に分類されて販売機本体の内部に設けられた複数列の商品コラムにそれぞれ積み重ねて収納される。また商品展示部に展示される商品見本は、専ら、商品の外観（形状・デザイン）を模して製作されたプラスチック製の立体商品見本（立体ダミー）として提供されるが、パッケージ商品そのものを見本として前記商品見本展示部に展示する場合もある。
【特許文献１】特開２００２−２７９４９７号公報
【発明の開示】
【発明が解決しようとする課題】
【０００４】
ところで最近、商品の販売促進効果を高めるべく、自動販売機自体にその存在をアピールするための機能や、販売促進商品（キャンペーン商品）をアピールするための機能を持たせることが種々試みられている。例えばその待機動作時に複数の商品選択釦に組み込まれた販売可能ランプを巡回的に点滅駆動したり、商品展示棚における予め特定された位置に展示された商品見本を左右に揺れ動かすようにして、消費者（商品購入対象者）の視覚に刺激を与えて興味（注意力）を喚起するようにしている。
【０００５】
しかしながらこのような機構を組み込んだ場合、自動販売機自体が高価格化することが否めない。そこで必要に応じて、例えば商品見本の数個分の大きさを有する広告ユニットを上記商品見本に代えて商品展示棚に載置し、これによってアピール効果を高めることが考えられている。しかし従来一般的な自動販売機における商品展示棚は、多少の振動（衝撃）が加わっても複数の立体商品見本を整然と並べた状態で安定に保持する為の種々の工夫がなされているので、広告ユニットとしては種々の商品展示棚の形状・構造に応じたものとして準備する必要があった。
【０００６】
本発明はこのような事情を考慮してなされたもので、その目的は、立体商品見本を安定に保持して展示することができることは勿論のこと、必要に応じて上記立体商品見本に代えて広告ユニット等を展示することのできる簡易な構造の自動販売機の商品展示装置を提供することにある。
【課題を解決するための手段】
【０００７】
上述した目的を達成するべく本発明に係る自動販売機の商品展示装置は、自動販売機本体の前扉に組み込まれるものであって、
<ａ>  複数の立体商品見本を並べて展示する商品展示棚と、
<ｂ>  この商品展示棚の上面に突出可能に設けられて該商品展示棚上における前記立体商品見本の載置領域を区画する１つまたは複数の仕切板と、
<ｃ>  前記仕切板を一体に備え、前記商品展示棚の下部に該商品展示棚の前後方向に進退自在に設けられて後退位置に位置付けられたときに前記仕切板を前記商品展示棚の上面から退避させるスライド体と
を備えたことを特徴としている。
【０００８】
即ち、本発明に係る自動販売機の商品展示装置は、複数の立体商品見本を並べて展示する商品展示棚の上面に突出可能に設けられて該商品展示棚上における前記立体商品見本の載置領域を区画する１つまたは複数の仕切板を、前記商品展示棚の下部に該商品展示棚の前後方向に進退自在に設けられたスライド体に一体に設け、スライド体を後退位置に位置付けらたときに前記仕切板を前記商品展示棚の上面から退避させるようにしたことを特徴としている。
【０００９】
そして商品展示棚上に複数の立体商品見本を並べて展示する場合には、前記スライド体を定常位置に位置付け、これによって上記商品展示棚上に突出する仕切板にて複数の立体商品見本の載置領域を規定することでこれらの立体商品見本を整然と並べて展示し得るようにする。一方、立体商品見本に代えて他のもの、例えば箱状の広告ユニットを載置する場合には前記スライド体を後退位置にスライドさせることで前記商品展示棚上から前記仕切板を退避させ、これによって上記広告ユニット等の載置を妨げることがないようにしたことを特徴としている。
【００１０】
好ましくは請求項２に記載するように前記スライド体は、その前端部に前記商品展示棚に展示される立体商品見本の価格ラベルを収納する収納部を備え、前記価格ラベルの収納部を前記商品展示棚の前端部に位置付けて該収納部の開放された上端を商品展示棚にて閉塞した状態を定常位置として前記商品展示棚の下部に組み込まれる。また請求項３に記載するように前記スライド体を、前記定常位置から更に前方に引き出し可能に設け、この引き出し位置にて前記収納部を開放して前記価格ラベルの装脱を可能とするように前記商品展示棚の下部に組み込むことが望ましい。
【発明の効果】
【００１１】
上記構成の商品展示装置によれば、商品展示棚の上面に突出して該商品展示棚上における立体商品見本の載置領域を区画する１つまたは複数の仕切板が、前記商品展示棚の下部に該商品嘆じたなの前後方向に進退自在に設けられたスライド部材に一体に設けられており、スライド部材を後退位置に変位させたときには前記商品展示棚上から退避するように設けられている。従って商品展示棚上に立体商品見本を載置するか否かに応じてスライド部材をスライドさせるだけで、商品展示棚上に複数の立体商品見本を安定に、しかも整然と並べて展示したり、或いはこれらの立体商品見本に代えて箱状の広告ユニット等を容易に商品展示棚上に載置して展示することが可能となる。
【００１２】
特に商品展示棚は、基本的には複数の立体商品見本を載置して展示する役割を担うものであるから、この基本機能を損なうことなしに商品展示棚が持つ機能を拡大することができる。従って複数の立体商品見本を整然と並べて安定に展示するための仕切板を商品展示棚上から退避させるだけで、仕切板に邪魔されることなく上記商品展示棚上に種々の物品を載置することが可能となる。故に、例えば商品展示棚上に発光器を備える等の種々の機能を組み込んだ箱状の広告ユニットを載置することで、商品展示棚を利用して多様な広告キャンペーンを展開することが可能となる等の効果が奏せられる。
【００１３】
また前述したスライド部材の前端部に価格ラベルの収納部を設けることで、商品展示棚上に展示した立体商品見本の価格ラベルを適格に提示する機能を損なうことなしに、立体商品見本に代えて広告ユニット等を載置した場合であっても該広告ユニットが持つ表示機能を阻害することなく、上記価格ラベルの提示を可能とする等の効果が奏せられる。換言すれば価格ラベルの位置を避けて、商品展示棚の前面を有効に利用して広告ユニットを載置することが可能となる等の効果が奏せられる。
【発明を実施するための最良の形態】
【００１４】
以下、図面を参照して本発明の一実施形態に係る自動販売機の商品展示装置について、たばこ（シガレット）の自動販売機を例に説明する。
図１はこの実施形態に係る自動販売機の外観とその概略的な内部構造を示す斜視図で、１はその内部に複数種の商品（たばこ）を銘柄別に分類して収納した、例えば高さ約１８０ｃｍ，幅約８０ｃｍ、奥行き約５０ｃｍの箱形の販売機本体であり、２はその前面部に開閉自在に設けられた前扉である。この前扉２の前面には、図１(ａ)に示すように販売対象とする複数の商品見本を展示する商品見本展示部３、およびこの商品見本展示部３に展示された商品を選択的に指定する為の複数の商品選択釦４が設けられている。
【００１５】
上記商品見本展示部３は、複数種の商品見本（ダミー）を載置して展示する複数段の商品展示棚を備え、その前面部を透明なアクリル板等により覆ったものである。また前記商品選択釦４は上記各商品展示棚に展示された商品見本（ダミー）にそれぞれ対応付けて前記前扉２の前面側から押圧操作可能に、前記各商品展示棚の前端部にそれぞれ設けられている。尚、この図１(ａ)に示す自動販売機においては、前扉２の前面上端部に該自動販売機の略全幅に跨る幅広の商品展示棚が１段設けられ、前扉２の前面左側の部位には該自動販売機の略１／２幅の幅狭の商品展示棚が上下７段に亘って設けられており、計４９個の商品見本を展示可能な商品見本展示部３が構成されている。
【００１６】
また前扉２の前面における略中央高さ位置の右側領域には、コイン投入口５ａ，紙幣投入口５ｂ，投入金額等を表示する表示器５ｃ、および釣り銭返却レバー５ｄ等からなる金銭処理機構５が設けられている。更に前記前扉２の前面における低部位置には、前記商品選択釦４の選択的（択一的）な操作に伴って販売機本体１から選択的に払い出された商品を取り出す為の商品取出口６や釣り銭返却口７、更には前扉２の開閉レバー８等が設けられている。
【００１７】
そして前記前扉２における上記金銭処理機構５の上部には窓部が設けられており、この窓部には広告ユニット１０が組み込まれるようになっている。この広告ユニット１０は、立体商品見本を左右に揺動させるメカニカル機構を組み込んだり、或いは立体商品見本をその裏面側から照明する照明装置を組み込んだものである。更にこの広告ユニット１０の組み込み位置（窓部）の近傍、特にその下部位置には上記広告ユニット１０に展示された商品見本を選択的に指定する為の補助商品選択釦１１（この例では３個）が設けられている。この補助商品選択釦１１は、前述した商品選択釦４と共に一括して管理されるもので、商品選択釦４および補助商品選択釦１１の中の１つを選択的に押圧操作することで販売（購入）商品の指定が行われる。
【００１８】
尚、前記前扉２は、図１(ｂ)に示すように販売機本体１の前端部右側を回動支点として左開きに開閉自在に設けられている。更にこの前扉２の裏面側には図１(ｃ)に示すように該前扉２の裏面側を開放可能に中扉９が設けられている。特にこの中扉９は、前扉２の裏面奥部（販売機本体１の右側）を回動軸として、前扉２を開けた状態においてだけその裏面側に開閉し得るように設けられている。そして前述した広告ユニット１０は、上記中扉９を開けた状態において前扉２の裏面側から、該前扉２に開口された窓部に嵌め込むようにして装着されるようになっている。
【００１９】
また図１(ｂ)に前扉２を開けた状態を示すように、販売機本体１の内部にはパッケージ商品（たばこ）を銘柄別に分類して積み重ねて収納する複数列の商品コラム１ａが多段に設けられており、更に中扉９にも複数列の商品コラム９ａが多段に設けられている。これらの商品コラム１ａ,９ａは前扉２を閉じたときに所定の間隔を隔てて平行に対峙し、これらの商品コラム１ａ,９ａ間に形成される空間部を上記各商品コラム１ａ,９ａから選択的に払い出された商品（たばこ）を前記商品取出口６に導く為の商品ガイド（中央シュート）として形成するものとなってる。
【００２０】
更には図１(ｃ)に中扉９を開けた状態を示すように、前記中扉９の内側面、つまり商品コラム９ａの裏面側には前述した商品展示棚３ａが多段に設けられている。これらの商品展示棚３ａへの商品見本の載置（展示）等は、この図１(ｃ)に示すように中扉９を開けて行われる。また前述した広告ユニット１０の前扉２への装着も、上述したように中扉９を開けた状態で前記前扉２の裏側から行われる。
【００２１】
さて本発明に係る商品展示装置は、例えば図２に示すように構成された商品展示棚３ａを備えている。この商品展示棚３ａは、プラスチック製の箱形の基体３１を主体としたもので、この基体３１の前面下部をその前面側に突出させて、例えば４個の立体商品見本Ｓを並べて載置可能な受け棚３２を形成すると共に、更にこの受け棚３２の前端部に所定の高さの板状の商品受け部３３を形成した形状を有する。この商品展示棚３ａは、前記基体３１の背面に突出形成した後述するフック３４を中扉９に形成した展示棚取付孔（図示せず）に嵌め込むことで、該中扉９に装着されるようになっている。
【００２２】
また前記箱形の基体３１の前面には、前記受け棚３２の上方に位置して前記商品受け部３３側に突出する商品押さえ片（舌片）３５が切欠き形成されている。特に商品押さえ片３５は、基体３１に連接した一端部を支点として弾性変形可能な弾性片として設けられている。このような弾性片からなる商品押さえ片３５は、前記受け棚３２上に載置された立体商品見本Ｓを前記商品受け部３３との間に挟み込んで前記受け棚３２上に安定に保持する役割を担う。
【００２３】
更に前記基体３１には、前記受け棚３２上に載置される立体商品見本Ｓの横方向へのずれを規制する仕切板３６が、前記受け棚３２上に突出可能に設けられている。この仕切板３６は、前記基体３１の下部にその前後方向に進退自在に設けられたスライド体３７に一体に取り付けられており、スライド体３７の進退に伴って前記受け棚３２上に選択的に突出する。具体的には図３(ａ)に示すように前記スライド体３７を後退位置に位置付けたときには、前記仕切板３６は前記受け棚３２上から退避し、図３(ｂ)に示すように前記スライド体３７を定常位置に位置付けたとき、或いは図３(ｃ)に示すように前記スライド体３７を上記定常位置よりも前側に位置付けたとき、前記仕切板３６は前記受け棚３２上に突出して位置付けられるようになっている。
【００２４】
尚、前記スライド体３７は、前記基体３１の下面に形成されたガイド部３８に摺動自在に嵌め込まれて支持されており、例えばその前端部を把持して押し込み・引き出し操作することにより前後方向にスライドする。またこのスライド体３７の前端部には、価格ラベル（図示せず）を収納する為のスリット状のラベルホルダ３９が設けられている。このラベルホルダ３９への価格ラベルの収納は、図３(ｃ)に示すように前記スライド体３７を前面側に引き出し、スリット状のラベルホルダ３９の上端開口部を開放して行われる。
【００２５】
このようにラベルホルダ３９をスライド体３７の前端部に設けることで、商品展示棚３ａ上に展示した立体商品見本Ｓの価格ラベルを適格に提示する機能を損なうことなしに、例えば立体商品見本Ｓに代えて広告ユニット等を載置した場合であっても該広告ユニットが持つ表示機能を阻害することなく、広告ユニットによりアピールした商品の価格を上記価格ラベルを用いて確実に提示することが可能となる等の効果が奏せられる。
【００２６】
このように構成された商品展示装置によれば、受け棚３２上に突出して該受け棚３２上に載置される複数の立体商品見本Ｓの載置領域を区画し、立体商品見本Ｓの横ずれを防止する役割を担う仕切板３６が、基体３１の下部に前後方向に進退するスライド体３７に一体に設けられており、スライド体３７を後退位置に位置付けることによって前記受け棚３２上から退避するので、例えば前記受け棚３２上に図４に示すような箱状の広告ユニット４０を装着しようとする場合であっても、前記仕切板３６が邪魔になることがない。即ち、商品の販売促進を図るべく、例えば商品見本の数個分の大きさを有する広告ユニット４０を上記立体商品見本Ｓに代えて商品展示棚３ａに載置し、これによってアピール効果を高めることが考えられているが、このような広告ユニット４０を用いる場合であっても前述した仕切板３６が邪魔になることがなく、箱形の広告ユニット４０を安定に保持することが可能となる。
【００２７】
尚、広告ユニット４０は、例えば図４に示すように箱形の筐体４１の内部に多色発光可能な発光ユニット４２とその制御回路４３等を組み込んだもので、筐体４１の前面に開閉可能に設けた透明な前カバー４４との間にフィルム状の広告シート４５を挟み込み得るように構成されている。この広告シート４５は、予め商品イメージや広告文字等を印刷したフィルム体からなる。そしてこの広告シート４５を前記発光ユニット４２を用いてその裏面側から透過照明することにより、消費者（商品購入対象者）に対して視覚的な刺激を与えるようにしたものである。特にその照明色を順次変えたり、照明パターンを変化させる等して消費者（商品購入対象者）の注目を集めるようにしたものである。
【００２８】
このような広告ユニット４０を用いるに際して、商品展示棚３ａに仕切板３６が固定的に設けられている場合、一般的には広告ユニット４０に上記仕切板３６との当接を避ける為のスリット状の切欠きを設けておく等の対策が必要となる。しかし前述した構造の商品展示装置によれば、仕切板３６が受け棚３２上から退避可能に設けられているので、広告ユニット４０に上述した切欠き等を設ける必要がなく、単純な箱形構造のユニットとして容易に実現することができる。この結果、商品展示棚３ａ上に立体商品見本Ｓに代えて、単純な構造で安価に製作可能な箱形の広告ユニット４０を容易に載置することが可能となるので、商品展示装置が果たす役割を拡大（拡張）することが可能となる等の実用上多大なる効果が奏せられる。
【００２９】
またこのような広告ユニット４０に代えて、例えば２個のたばこ（シガレット）とライターとを横並びにして箱詰めした、いわゆるキャンペーン用パック商品を展示する場合おいても、前述したように仕切板３６が受け棚３２上から退避させるだけで良いので、その実用的利点が多大である。そしてこのような立体商品見本Ｓの数個分の大きさの上述した広告ユニット４０やキャンペーン用パック商品等を展示しない場合には、仕切板３６を受け棚３２上に突出させるだけで、通常通り立体商品見本Ｓを安定に保持することが可能となるので、商品展示棚３ａの利用形態を大幅に拡大することが可能となる。
【００３０】
尚、本発明は上述した実施形態に限定されるものではない。ここでは４個の立体商品見本Ｓを並べて載置する商品展示棚３ａを例に説明したが、要は複数個の立体商品見本Ｓを並べて載置する商品展示棚３ａの全てに適用可能である。また立体商品見本Ｓに代えて商品展示棚３ａに載置する箱形の物品については、上述した広告ユニット４０やキャンペーン用パック商品に限られないことも言うまでもない。その他、本発明はその要旨を逸脱しない範囲で種々変形して実施することができる。
【図面の簡単な説明】
【００３１】
【図１】本発明に係る商品展示装置が組み込まれるたばこの自動販売機の概略構成を示す図。
【図２】本発明の一実施形態に係る商品展示装置の概略構成を示す斜視図。
【図３】図２に示す商品展示装置のスライド体の移動に伴う受け棚上への仕切板の突出・退避の形態を示す図。
【図４】立体商品見本に代えて商品展示棚上に載置される広告ユニットの概略的な構成を示す図。
【符号の説明】
【００３２】
３ａ  商品展示棚
３１  基体
３２  受け棚
３３  商品受け部
３５  商品押さえ片
３６  仕切板
３７  スライド体
３８  ガイド部
３９  ラベルホルダ
４０  広告ユニット
【図１】
2005332252.tif 000003
【図２】
2005332252.tif 000004
【図３】
2005332252.tif 000005
【図４】
2005332252.tif 000006